(57)【要約】  【課題】  鉢形状を常に確実に保持して良好な作業性を得ることができる育苗移植用紙鉢を得ることを目的とする。  【解決手段】  本発明は、内面１ｃに防湿剤が塗布された円形紙Ｐの中央部を底面部２とするとともに、この底面部２の周囲の部分を周壁３とし、この周壁３に底面部２の周囲に沿って並列する側壁部４Ａ及び襞部４Ｂからなる８個の周壁エレメント４を設けることにより形成された有底筒状の紙鉢であって、周壁３は、各周壁エレメント４における側壁部４Ａ及び襞部４Ｂの各防湿剤塗布面が互いに貼付されてなり、この周壁３の開口端縁には、周全体にわたって延在するカール部３Ａが設けられている育苗移植用紙鉢１を提供する。【選択図】  図１
2006006253.tif 000002
【特許請求の範囲】
【請求項１】
少なくとも片面に防湿剤が塗布された円形紙又は多角形紙の中央部を底面部とするとともに、この底面部の周囲の部分を周壁とし、この周壁に前記底面部の周囲に沿って並列する側壁部及び襞部からなる複数の周壁エレメントを設けることにより形成された有底筒状の紙鉢であって、
前記周壁は、前記各周壁エレメントにおける側壁部及び襞部が互いに貼付されてなり、
この周壁の開口端縁には、周全体にわたって延在するカール部が設けられていることを特徴とする育苗移植用紙鉢。
【請求項２】
前記防湿剤はワックスからなることを特徴とする請求項１記載の育苗移植用紙鉢。
【請求項３】
前記防湿剤には肥料が混入されていることを特徴とする請求項1又は２記載の育苗移植用紙鉢。
【請求項４】
前記カール部は、前記周壁の外側に巻き込むことにより形成されていることを特徴とする請求項1〜３のいずれかに記載の育苗移植用紙鉢。
【発明の詳細な説明】
【技術分野】
【０００１】
本発明は育苗移植用紙鉢に関する。
【背景技術】
【０００２】
一般に、育苗移植用紙鉢は、一定期間空気中で苗を育て、その後露地等に移植することができる植木鉢として知られている。
このような育苗移植用紙鉢においては、空気中での育苗期間中は湿潤状態におかれても分解され難く、一方土中に移植されると早期に分解されることが重要である。
【０００３】
このため、育苗移植用紙鉢としては、部分的に３層構造とする筒状の周壁と、この周壁の一方側開口部を閉塞する単層構造の底面部とを備えたものが従来から提案されている（例えば特許文献１参照）。
【特許文献１】特開平８−１１６７９６号公報（図２）
【発明の開示】
【発明が解決しようとする課題】
【０００４】
しかるに、従来の育苗移植用紙鉢においては、周壁の３層構造が周方向に沿って部分的にのみ存在するものであるため、その開口端縁の強度が周方向に部分的に不十分である。また、周壁の３層構造は、薄紙を重ねて形成されているに過ぎず、このため周壁の開口端縁厚さを十分大きな寸法に設定することができない。この結果、例えば運搬時に使用者が手指で周壁の開口端縁を摘んで紙鉢を移動させる場合には形状が保持されず、良好な作業性を得ることができないという課題があった。
【０００５】
本発明は、このような事情に鑑みてなされたもので、鉢形状を常に確実に保持することができ、もって良好な作業性を得ることができる育苗移植用紙鉢を提供することを目的とする。
【課題を解決するための手段】
【０００６】
上記目的を達成するために、請求項１記載の発明は、少なくとも片面に防湿剤が塗布された円形紙又は多角形紙の中央部を底面部とするとともに、この底面部の周囲の部分を周壁とし、この周壁に前記底面部の周囲に沿って並列する側壁部及び襞部からなる複数の周壁エレメントを設けることにより形成された有底筒状の紙鉢であって、前記周壁は、前記各周壁エレメントにおける側壁部及び襞部が互いに貼付されてなり、この周壁の開口端縁には、周全体にわたって延在するカール部が設けられていることを特徴とする育苗移植用紙鉢を提供する。
【０００７】
この構成によれば、カール部が周壁における開口端縁の周全体にわたって延在して配置されるため、周壁の開口端縁が周全体にわたって補強され、またその開口端縁の厚さが十分大きな寸法に設定されるため、鉢形状が常に確実に保持される。例えば、運搬時に使用者が手指で周壁の開口端縁を摘んで紙鉢を移動させる場合にも鉢形状は確実に保持される。
【０００８】
請求項２記載の発明は、前記防湿剤はワックスからなることを特徴とする請求項１記載の育苗移植用紙鉢を提供する。
【０００９】
この構成によれば、防湿剤がワックスからなるため、防湿機能に加え、紙鉢形成時の接着剤としての機能が加えられる。また、ワックスが微生物に分解され易いため、防湿剤によって廃棄物公害が起きることはない。
【００１０】
請求項３記載の発明は、前記防湿剤には肥料が混入されていることを特徴とする請求項1又は２記載の育苗移植用紙鉢を提供する。
【００１１】
この構成によれば、防湿剤には肥料が混入されているため、防湿機能に加え、苗の生育促進剤としての機能が加えられる。
【００１２】
請求項４の発明は、前記カール部は、前記周壁の外側に巻き込むことにより形成されていることを特徴とする請求項1〜３のいずれかに記載の育苗移植用紙鉢を提供する。
【００１３】
この構成によれば、カール部が周壁の外側に配置されるため、多数の紙鉢を重ね易くなる。
【発明の効果】
【００１４】
請求項１記載の発明は、カール部が周壁における開口端縁の周全体にわたって延在して配置されるため、周壁の開口端縁が周全体にわたって補強され、またその開口端縁の厚さが十分大きな寸法に設定される。このため、鉢形状が常に確実に保持され、例えば運搬時に使用者が手指で周壁の開口端縁を摘んで移動させる場合にも鉢形状が確実に保持され、良好な作業性を得ることができる。
【００１５】
請求項２記載の発明は、紙鉢形成時の接着剤としての機能を備えることになるため、請求項１記載の発明の効果に加え、鉢形成時に接着剤を塗布する作業が不要になり、鉢形成作業の簡素化を図ることができる。また、防湿剤によって廃棄物公害が起きることはないため、請求項１記載の発明の効果に加え、近年における環境保全対策に応じることができる。
【００１６】
請求項３記載の発明は、苗の生育促進剤としての機能を備えることになるため、請求項１又は２記載の発明の効果に加え、育苗を促進させることができる。
【００１７】
請求項４記載の発明は、多数の紙鉢を重ね易くなるため、請求項１〜３のいずれかに記載の発明の効果に加え、紙鉢を保管する場合の保管スペースの縮小化を図ることができる。
【発明を実施するための最良の形態】
【００１８】
本発明は、少なくとも片面に防湿剤が塗布された円形紙又は多角形紙の中央部を底面部とするとともに、この底面部の周囲の部分を周壁とし、この周壁に前記底面部の周囲に沿って並列する側壁部及び襞部からなる複数の周壁エレメントを設けることにより形成された有底筒状の紙鉢であって、前記周壁は、前記各周壁エレメントにおける側壁部及び襞部が互いに貼付されてなり、この周壁の開口端縁には、周全体にわたって延在するカール部が設けられている構成としたことにより、鉢形状が常に確実に保持され、もって良好な作業性が得られることを実現した。
【００１９】
以下、以下、本発明における育苗移植用紙鉢につき、図１〜３に示す実施の形態に基づいて説明する。図１は、本発明の実施形態に係る育苗移植用紙鉢を説明するために示す図である。図１（ａ）は、育苗移植用紙鉢の全体を示す斜視図である。図１（ｂ）は、図１（ａ）のＡ部分を拡大して示す断面図である。図２は、本発明の実施形態に係る育苗移植用紙鉢の展開状態を示す平面図である。図３は本発明の実施形態に係る育苗移植用紙鉢の中間体を示す斜視図である。
【００２０】
図１（ａ）において、符号１で示す育苗移植用紙鉢は、中央位置に排水用孔２ａを有する平面略円形状の底面部２と、この底面部２の外側周縁に連接する周壁３とから大略構成されている。そして、下方部から上方部に向かって漸次大きくなる口径をもつ有底紙筒によって形成されている。すなわち、育苗移植用紙鉢１は、図２に示すように排水用孔２ａとなる貫通孔及び扇形の襞部（後述）を形成するための折線１ａ，１ｂ付きの円形紙Ｐの中央部を底面部２とするとともに、この底面部２の周囲の部分を周壁３とし、この周壁３に底面部２の周囲に沿って並列する側壁部４Ａ及び襞部４Ｂからなる８個の周壁エレメント４を設けることにより形成されている。
【００２１】
育苗移植用紙鉢１の内面１ｃには、ワックスからなる防湿剤が塗布されている。これにより、育苗移植用紙鉢１には、防湿機能の他に、紙鉢形成時の接着剤としての機能が加えられる。なお、防湿剤にＳＢＲ（スチレンブタジエンラバー）ラテックスを混入することにより、接着剤としての機能が一層高められる。また、ワックスが微生物に分解され易いため、育苗移植用紙鉢１が防湿剤によって廃棄物公害が起きることはなく、近年における環境保全対策に応じることができる。
【００２２】
育苗移植用紙鉢１の周壁３は、円形紙Ｐの折線１ａ，１ｂに沿って折り畳まれ、すなわち各周壁エレメント４における襞部４Ｂが側壁部４Ａに折り重ねられ、側壁部４Ａ及び襞部４Ｂの各防湿剤塗布面が互いに貼付されている。この場合、襞部４Ｂが側壁部４Ａに折り重ねられると、互いに隣接する周壁エレメント４，４のうち一方の周壁エレメント４の側壁部４Ａ及び襞部４Ｂと他方の周壁エレメント４の側壁部４Ａとが折り重なることになり、周壁３が周方向に沿って部分的に３層構造とされる。
【００２３】
育苗移植用紙鉢１における周壁３の開口端縁には、周全体にわたって延在するカール部３Ａが設けられている。カール部３Ａは、図３に示す育苗移植用紙鉢１の紙鉢中間体１Ａを図１（ｂ）に示すように周壁３の外側に巻き込むことにより形成されている。これにより、カール部３Ａが周壁３の外側に配置されるため、多数の育苗移植用紙鉢１を重ね易くなり、育苗移植用紙鉢１を保管する場合の保管スペースの縮小化が図れる。
【００２４】
次に、本実施形態における育苗移植用紙鉢１の形成手順につき、図１〜３を用いて説明する。
先ず、図２に示すように、予め貫通孔（排水用孔２ａ）が設けられた底面部２及び同じく折線１ａ，１ｂが設けられた周壁３からなる円形紙Ｐの片面全体に防湿剤としてのワックスを塗布する。
【００２５】
次いで、円形紙Ｐの周壁３を折線１ａ，１ｂに沿って折り畳むことにより８個の周壁エレメント４における襞部４Ｂのワックス塗布面を側壁部４Ａのワックス塗布面に折り重ねる。この場合、襞部４Ｂが側壁部４Ａに折り重ねられると、図３に示すように育苗移植紙鉢１の紙鉢中間体１Ａが形成される。
【００２６】
しかる後、各周壁エレメント４における側壁部４Ａと襞部４Ｂとの間のワックスを加熱してこれら壁部４Ａ及び襞部４Ｂの各ワックス塗布面を互いに貼付する。この場合、ワックスが接着剤としての機能し、側壁部４Ａ及び襞部４Ｂが互いに熱融着される。
【００２７】
そして、図１に示すように周壁３にその開口端縁を外側に巻き込むことによりに、周全体にわたって延在するカール部３Ａを形成する。この場合、カール部３Ａが形成されると、内面１ｃに防湿剤が塗布された円形紙Ｐの中央部を底面部２とするとともに、この底面部２の周囲の部分を周壁３とするカール部３Ａ付きの育苗移植用紙鉢１が形成される。
このようにして、育苗移植用紙鉢１を確実に形成することができる。
【００２８】
したがって、本実施形態の育苗移植用紙鉢１においては、カール部３Ａが周壁３における開口端縁の周全体にわたって延在して配置されるため、周壁３の開口端縁が周全体にわたって補強され、またその開口端縁の厚さが十分大きな寸法に設定される。このため、鉢形状が常に確実に保持され、例えば運搬時に使用者が手指で周壁の開口端縁を摘んで紙鉢を移動させる場合にも鉢形状は確実に保持され、良好な作業性を得ることができる。
【００２９】
以上、本発明の育苗移植用紙鉢を上記の実施形態に基づいて説明したが、本発明は上記の実施形態に限定されるものではなく、その要旨を逸脱しない範囲において種々の態様において実施することが可能であり、例えば次（１）〜（４）に示すような変形も可能である。
【００３０】
（１）上記実施形態は、育苗移植用紙鉢１の内面に防湿剤を塗布する場合について説明したが、本発明はこれに限定されず、その外面に塗布してもよく、内外両面に塗布しても勿論よい。すなわち要するに、育苗移植用紙鉢１における少なくとも片面に防湿剤が塗布されていればよい。
【００３１】
（２）上記実施形態の育苗移植用紙蜂１は、防湿剤に肥料を混入しない場合について説明したが、本発明はこれに限定されず、防湿剤に肥料を混入してもよい。この場合、育苗移植用紙鉢１が防湿機能の他に、苗の生育促進剤としての機能を備えることになり、育苗を促進させることができる。
【００３２】
（３）上記実施形態の育苗移植用紙鉢１は円形紙Ｐから形成される場合について説明したが、本発明はこれに限定されず、多角形紙からも実施形態と同様に形成される。
【００３３】
（４）上記実施形態の育苗移植用紙鉢１は、襞部４Ｂ（周壁エレメント４）が８個である場合について説明したが、本発明はこれに限定されるものでないことは勿論である。この場合、周壁エレメント（襞部）の個数は多いほど、より円形に近い開口部を有する育苗移植用紙鉢が得られる。
【図面の簡単な説明】
【００３４】
【図１】本発明の実施形態に係る育苗移植用紙鉢を説明するために示す図。
【図２】本発明の実施形態に係る育苗移植用紙鉢の展開状態を示す平面図。
【図３】本発明の実施形態に係る育苗移植用紙鉢の中間体を示す斜視図。
【符号の説明】
【００３５】
１          育苗移植用紙鉢
１Ａ        紙鉢中間体
１ａ，１ｂ  折線
１ｃ        内面
２          底面部
２ａ        排水用孔
３          周壁
３Ａ        カール部
４          周壁エレメント
４Ａ        側壁部
４Ｂ        襞部
Ｐ          円形紙
【図１】
2006006253.tif 000003
【図２】
2006006253.tif 000004
【図３】
2006006253.tif 000005